(57)【要約】【課題】収穫作業効率の向上などを図れるようにしながら、刈取収穫作業及び枕扱き作業を良好に行えるようにする。【解決手段】走行機体２に、刈取搬送装置３を昇降揺動可能かつ左右摺動変位可能に連結装備し、フィードチェーン１５を左右一側部に備えた脱穀装置４を搭載したコンバインにおいて、フィードチェーン１５側となる刈取搬送装置３の左右一側部に、刈取搬送装置３からフィードチェーン１５の搬送始端側上部に接当する状態に延出して刈取搬送装置３からの刈取穀稈をフィードチェーン１５に案内するガイド杆２２と、ガイド杆２２の上方からフィードチェーン１５の搬送始端側を覆う枕扱きカバー２３とを備えた穀稈ガイド２４を装備し、穀稈ガイド２４に対する刈取搬送装置３の左右摺動変位を許容して、穀稈ガイド２４をフィードチェーン１５に対する左右方向の所定位置に維持する維持機構３６を設けた。【選択図】        図２
2004275031.tif 000002
【特許請求の範囲】
【請求項１】
走行機体に、植立穀稈を刈り取って搬送する刈取搬送装置を昇降揺動可能に、かつ、左右方向に摺動変位可能に連結装備するとともに、前記刈取搬送装置によって搬送された刈取穀稈を受け取って搬送するフィードチェーンを左右一側部に備えた脱穀装置を搭載してあるコンバインであって、
前記フィードチェーン側となる前記刈取搬送装置の左右一側部に、該刈取搬送装置から前記フィードチェーンに向けて該フィードチェーンの搬送始端側上部に接当する状態に延出して前記刈取搬送装置からの刈取穀稈を前記フィードチェーンに案内するガイド杆と、そのガイド杆の上方から前記フィードチェーンの搬送始端側を覆う枕扱きカバーとを備えた穀稈ガイドを装備し、該穀稈ガイドに対する前記刈取搬送装置の左右方向への摺動変位を許容して、前記穀稈ガイドを前記フィードチェーンに対する左右方向での所定位置に維持する維持機構を設けてあるコンバイン。
【請求項２】
前記維持機構を、前記刈取搬送装置と前記穀稈ガイドとを左右方向に相対摺動可能に連結する連結部と、前記穀稈ガイドを前記刈取搬送装置における前記左右一側部の外方に向けて付勢する状態に前記刈取搬送装置と前記穀稈ガイドとの間に介装されるバネと、インナーワイヤが前記走行機体と前記所定位置の前記穀稈ガイドとにわたって掛け渡され、アウターワイヤが前記刈取搬送装置の左右方向への摺動変位に伴って前記インナーワイヤに沿って前記刈取搬送装置の変位方向と同方向に変位する状態に前記刈取搬送装置に支持される連係ワイヤとから構成してある請求項１に記載のコンバイン。
【請求項３】
前記刈取搬送装置の昇降揺動に連動して、該刈取搬送装置に連結される前記穀稈ガイドの案内始端側が、前記フィードチェーンの搬送始端上方に位置する前記穀稈ガイドの案内終端側に対して上下揺動するように構成してある請求項１又は２に記載のコンバイン。
【発明の詳細な説明】
【０００１】
【発明の属する技術分野】
本発明は、走行機体に、植立穀稈を刈り取って搬送する刈取搬送装置を昇降揺動可能に、かつ、左右方向に摺動変位可能に連結装備するとともに、前記刈取搬送装置によって搬送された刈取穀稈を受け取って搬送するフィードチェーンを左右一側部に備えた脱穀装置を搭載してあるコンバインに関する。
【０００２】
【従来の技術】
上記のようなコンバインにおいては、圃場の左右中間箇所を縦断する状態に機体を刈り取り走行させて圃場の穀稈植立領域を左右に分断する中割り作業を行う場合には、刈取搬送装置が走行機体に装備した左右の各クローラ式走行装置の前方に位置する状態となるように、走行機体に対して刈取搬送装置を左右方向に摺動変位させることによって、又、機体の左右一側方を未刈り側にした状態で機体を周回走行させながら圃場の穀稈植立領域の外側から順に回り刈りする回り刈り作業を行う場合には、刈取搬送装置が走行機体に対する最左右一側端位置に位置する状態となるように、走行機体に対して刈取搬送装置を左右方向に摺動変位させることによって、中割り作業や回り刈り作業などの刈取収穫作業時において左右のクローラ式走行装置による植立穀稈の踏み付けなどが発生する不具合を未然に回避できるようになる。
【０００３】
従来、上記のようなコンバインとしては、刈取搬送装置からフィードチェーンに向けてフィードチェーンの搬送始端側上部に接当する状態に延出して刈取搬送装置からの刈取穀稈をフィードチェーンに案内するガイド杆を、その刈取搬送装置側を支点にした刈取搬送装置に対する縦軸心周りでの相対揺動が可能となるように刈取搬送装置に設けたものがある（例えば特許文献１参照。）。
【０００４】
又、脱穀装置に、フィードチェーンの搬送始端側上部に接当する下降作用位置と、その搬送始端側上部から離間してフィードチェーンの搬送始端側上方を開放する上昇解除位置とに、横軸心周りに揺動切り換え可能な供給ガイドを設け、かつ、刈取搬送装置に、この刈取搬送装置を走行機体に対する左右方向での特定の取り付け位置に位置させた場合に、フィードチェーンの搬送始端側上方を開放する作用解除状態から、フィードチェーンの搬送始端側を上方から覆う作用状態への、横軸心周りでの揺動切り換えが可能となる枕扱きカバーを設けたものがある（例えば特許文献２参照。）。
【０００５】
【特許文献１】
特開平１１−１３７０５３号公報（段落番号００２４、図１−４）
【特許文献２】
特開２００１−２５８３７２号公報（段落番号００１９−００２８、図１−４）
【０００６】
【発明が解決しようとする課題】
上記特許文献１に記載の従来技術では、ガイド杆が刈取搬送装置からフィードチェーンの搬送始端側上部に向けて延出するだけであることから、ガイド杆をフィードチェーンの搬送始端側上部に接当させた状態のままで、脱穀装置に向けて刈取穀稈を搬送案内するフィードチェーンに対して刈取穀稈を人為供給する枕扱き作業を行える。又、走行機体に対する刈取搬送装置の左右方向での摺動変位に伴って、ガイド杆が縦軸心周りに揺動して、その案内終端側がフィードチェーンの搬送始端側上部に接当する状態を維持することから、刈取搬送装置にガイド杆を装備するものでありながら、刈取搬送装置の走行機体に対する左右方向での摺動変位にかかわらず、ガイド杆による刈取搬送装置からフィードチェーンへの刈取穀稈の搬送案内を良好に行える。
【０００７】
しかしながら、上記特許文献１に記載のガイド杆は、フィードチェーンの搬送始端側を上方から覆うものではないことから、枕扱き作業の際に刈取穀稈を仮置きする載置台として利用することができず、そのため、フィードチェーンに対する刈取穀稈の人為供給が行い難く、穂先側をフィードチェーンに接触させるなどの不都合が生じ易くなっていた。又、ガイド杆は、その案内終端側をフィードチェーンの搬送始端側上部に接当させた状態のまま、刈取搬送装置の走行機体に対する左右方向での摺動変位に伴って縦軸心周りに揺動することから、ガイド杆とフィードチェーンとの間において無理な擦れが生じる虞があり、結果、ガイド杆とフィードチェーンとの接当箇所が早期に損耗する不都合を招き易くなる。
【０００８】
一方、上記特許文献２に記載の従来技術では、脱穀装置に供給ガイドを設けることから、刈取搬送装置の走行機体に対する左右方向での摺動変位にかかわらず、フィードチェーンと供給ガイドとの位置関係を一定にすることができ、もって、供給ガイドを下降作用位置に位置させた状態では、中割り作業や回り刈り作業などの作業形態に応じた刈取搬送装置の走行機体に対する左右方向での摺動変位にかかわらず、供給ガイドによる刈取搬送装置からフィードチェーンへの刈取穀稈の案内を良好に行える。又、枕扱き作業時には、枕扱きカバーを作用状態に切り換えてフィードチェーンの搬送始端側を上方から覆うようにすれば、その枕扱きカバーを刈取穀稈を仮置きする載置台として利用できることから、刈取穀稈のフィードチェーンへの人為供給が行い易くなる。
【０００９】
しかしながら、上記特許文献２に記載の従来技術では、刈取収穫作業を行う場合と枕扱き作業を行う場合とに応じて、供給ガイド及び枕扱きカバーを切り換え操作する必要があり、しかも、枕扱きカバーの作用状態への切り換えは、刈取搬送装置を走行機体に対する左右方向での特定の取り付け位置に位置させた状態でしか行えず、その特定位置から刈取搬送装置が外れている状態で枕扱きカバーを作用状態に切り換える必要が生じた場合には、走行機体に対する刈取搬送装置の変位操作をも行わなければならないことから、収穫作業効率の向上を図る上において改善の余地がある。
【００１０】
本発明の目的は、収穫作業効率の向上などを図れるようにしながら、刈取収穫作業及び枕扱き作業を良好に行えるようにすることにある。
【００１１】
【課題を解決するための手段】
〔構成〕
上記目的を達成するため、本発明のうちの請求項１に記載の発明では、走行機体に、植立穀稈を刈り取って搬送する刈取搬送装置を昇降揺動可能に、かつ、左右方向に摺動変位可能に連結装備するとともに、前記刈取搬送装置によって搬送された刈取穀稈を受け取って搬送するフィードチェーンを左右一側部に備えた脱穀装置を搭載してあるコンバインにおいて、前記フィードチェーン側となる前記刈取搬送装置の左右一側部に、該刈取搬送装置から前記フィードチェーンに向けて該フィードチェーンの搬送始端側上部に接当する状態に延出して前記刈取搬送装置からの刈取穀稈を前記フィードチェーンに案内するガイド杆と、そのガイド杆の上方から前記フィードチェーンの搬送始端側を覆う枕扱きカバーとを備えた穀稈ガイドを装備し、該穀稈ガイドに対する前記刈取搬送装置の左右方向への摺動変位を許容して、前記穀稈ガイドを前記フィードチェーンに対する左右方向での所定位置に維持する維持機構を設けてある。
【００１２】
〔作用〕
上記請求項１に記載の発明によると、刈取搬送装置を、中割り作業や回り刈り作業などの作業形態に応じた走行機体に対する適切な位置に位置させるために、走行機体に対して左右方向に摺動変位させたとしても、穀稈ガイドは、その摺動変位する刈取搬送装置に装備されるものでありながら、維持機構によって、刈取搬送装置の左右方向への摺動変位にかかわらず、そのガイド杆がフィードチェーンの搬送始端側上部に接当する状態に、又、その枕扱きカバーがガイド杆の上方からフィードチェーンの搬送始端側を覆う状態に維持されるようになる。
【００１３】
その結果、中割り作業や回り刈り作業などの刈取収穫作業を行う場合には、そのときの作業形態に応じた走行機体に対する刈取搬送装置の左右方向での摺動変位にかかわらず、刈取搬送装置からの刈取穀稈は、枕扱きカバーの下方においてフィードチェーンの搬送始端側上部に接当する状態となっているガイド杆によってフィードチェーンに案内されるようになる。
【００１４】
又、枕扱き作業を行う場合には、そのときの走行機体に対する刈取搬送装置の左右方向での摺動変位にかかわらず、フィードチェーンに対して人為供給する刈取穀稈を、ガイド杆の上方からフィードチェーンの搬送始端側を覆う状態となっている枕扱きカバーに仮置きすることができ、これによって、フィードチェーンに対する刈取穀稈の人為供給の際に、その穂先側がフィードチェーンに接触するなどの不都合が生じ難くなる。
【００１５】
しかも、穀稈ガイドは、維持機構が穀稈ガイドに対する刈取搬送装置の左右方向への摺動変位を許容することで、走行機体に対する刈取搬送装置の左右方向での摺動変位にかかわらず、フィードチェーンに対する左右方向での所定位置、言い換えると、そのガイド杆がフィードチェーンの搬送始端側上部に接当する位置に維持されることから、刈取搬送装置を走行機体に対して左右方向に摺動変位させる際に、ガイド杆とフィードチェーンとの間において無理な擦れが生じることはなく、もって、その無理な擦れに起因したガイド杆及びフィードチェーンの早期の損耗を未然に回避できるようになる。
【００１６】
〔効果〕
つまり、刈取収穫作業を行う場合と枕扱き作業を行う場合とに応じてガイド杆及び枕扱きカバーを切り換え操作する手間を要することなく、又、刈取搬送装置の左右方向への摺動変位によってフィードチェーンとガイド杆との間での無理な擦れに起因した早期損耗を招くことなく、刈取収穫作業時には、ガイド杆による刈取搬送装置からフィードチェーンへの刈取穀稈の案内が良好に行われるようになり、又、枕扱き作業時には、枕扱きカバーを刈取穀稈を仮置きする載置台として利用することができて、フィードチェーンに対する刈取穀稈の人為供給が行い易くなり、結果、収穫作業効率の向上やガイド杆及びフィードチェーンの耐久性の向上を図りながら、刈取収穫作業及び枕扱き作業を良好に行えるようになる。
【００１７】
〔構成〕
本発明のうちの請求項２に記載の発明では、上記請求項１に記載の発明において、前記維持機構を、前記刈取搬送装置と前記穀稈ガイドとを左右方向に相対摺動可能に連結する連結部と、前記穀稈ガイドを前記刈取搬送装置における前記左右一側部の外方に向けて付勢する状態に前記刈取搬送装置と前記穀稈ガイドとの間に介装されるバネと、インナーワイヤが前記走行機体と前記所定位置の前記穀稈ガイドとにわたって掛け渡され、アウターワイヤが前記刈取搬送装置の左右方向への摺動変位に伴って前記インナーワイヤに沿って前記刈取搬送装置の変位方向と同方向に変位する状態に前記刈取搬送装置に支持される連係ワイヤとから構成してある。
【００１８】
〔作用〕
上記請求項２に記載の発明によると、穀稈ガイドは、連結部を介して刈取搬送装置に連結装備されるものでありながらも、刈取搬送装置を走行機体に対して左右方向に摺動変位させる場合には、その連結部によって刈取搬送装置に対する左右方向での相対摺動が許容され、又、バネによって、走行機体に対する刈取搬送装置の左右他側部方向への変位に伴うその左右他側部方向への移動が阻止され、更に、連係ワイヤによって、走行機体に対する刈取搬送装置の左右一側部方向への変位に伴うその左右一側部方向への移動が阻止されるようになり、もって、フィードチェーンに対する左右方向での所定位置に維持されるようになる。
【００１９】
〔効果〕
つまり、連結部によって穀稈ガイドを刈取搬送装置に連結し、バネによって穀稈ガイドを付勢し、連係ワイヤによって走行機体と刈取搬送装置と穀稈ガイドとを連係するだけの比較的に簡単で安価な構成でありながら、走行機体に対する刈取搬送装置の左右方向への摺動変位にかかわらず、穀稈ガイドをフィードチェーンに対する左右方向での所定位置に維持することができるのであり、その結果、構成の簡素化及びコストの削減を図りながら、収穫作業効率の向上やガイド杆及びフィードチェーンの耐久性の向上を図れるとともに、刈取収穫作業及び枕扱き作業を良好に行えるようになる。
【００２０】
〔構成〕
本発明のうちの請求項３に記載の発明では、上記請求項１又は２に記載の発明において、前記刈取搬送装置の昇降揺動に連動して、該刈取搬送装置に連結される前記穀稈ガイドの案内始端側が、前記フィードチェーンの搬送始端上方に位置する前記穀稈ガイドの案内終端側に対して上下揺動するように構成してある。
【００２１】
〔作用〕
上記請求項３に記載の発明によると、走行機体に対して刈取搬送装置を上昇揺動させた場合には、穀稈ガイドの案内始端側が案内終端側に対して上昇揺動し、逆に、走行機体に対して刈取搬送装置を下降揺動させた場合には、穀稈ガイドの案内始端側が案内終端側に対して下降揺動するようになる。
【００２２】
つまり、走行機体に対する刈取搬送装置の昇降揺動にかかわらず、穀稈ガイドの案内始端側は、刈取搬送装置から穀稈ガイドの案内終端側とにわたる状態を維持し、又、穀稈ガイドの案内終端側は、ガイド杆がフィードチェーンの搬送始端側上部に接当し、かつ、枕扱きカバーがガイド杆の上方からフィードチェーンの搬送始端側を覆う状態を維持するようになる。
【００２３】
〔効果〕
従って、刈取収穫作業時には、その作業中に刈取搬送装置を昇降させる刈り高さ調節などにかかわらず、穀稈ガイドのガイド杆による刈取搬送装置からフィードチェーンへの刈取穀稈の案内を良好に行えるようになり、又、枕扱き作業時には、刈取搬送装置の高さ位置に関係なく、フィードチェーンに対して人為供給する刈取穀稈を穀稈ガイドの枕扱きカバーに仮置きすることができるようになり、結果、刈取搬送装置の高さ位置に関係なく刈取収穫作業及び枕扱き作業を良好に行えるようになる。
【００２４】
【発明の実施の形態】
図１にはコンバインの全体側面が示されており、このコンバインは、左右一対のクローラ式走行装置１の駆動で走行する走行機体２の前部に、植立穀稈を刈り取って後方に向けて搬送する刈取搬送装置３を昇降揺動可能に、かつ、左右方向に摺動変位可能に連結装備し、その刈取搬送装置３からの刈取穀稈に対して脱穀処理を施すとともに、この脱穀処理で得られた処理物に対して選別処理を施す脱穀装置４や、この脱穀装置４からの穀粒を貯留する穀粒タンク５などを走行機体２に搭載し、走行機体２における穀粒タンク５の前方箇所に運転座席６などを備えた搭乗運転部７を形成して自脱形に構成されている。
【００２５】
刈取搬送装置３は、その骨組みを形成する刈取フレーム８に、倒伏した複数条の植立穀稈を機体の走行に伴って分草する複数の分草具９、それらによる分草後の植立穀稈を引き起こす複数の引起装置１０、それらによって引き起こされた植立穀稈の株元側を切断するバリカン形の刈取装置１１、及び、刈取穀稈を起立姿勢から横倒し姿勢に切り換えながら後方の脱穀装置４に向けて搬送する穀稈搬送装置１２、などを備えて構成され、その刈取フレーム８の後端部が、走行機体２の前部に、左右向きの第１軸心Ｘ１周りに相対回動可能に、かつ、その第１軸心Ｘ１に沿って相対摺動可能に連結されている。
【００２６】
穀稈搬送装置１２は、刈取穀稈の穂先側を係止搬送する係止搬送機構１３や、刈取穀稈の株元側を挾持搬送する挾持搬送機構１４などを備えて構成され、その係止搬送機構１３が、脱穀装置４の正面に形成された図外の投入口に刈取穀稈の穂先側を供給し、その挾持搬送機構１４が、脱穀装置４の左側部に装備されたフィードチェーン１５の搬送始端部に刈取穀稈の株元側を受け渡すようになっている。
【００２７】
図２に示すように、走行機体２の前部には、第１軸心Ｘ１の下方に設定した左右向きの第２軸心Ｘ２周りに揺動可能な基枠１６が装備され、この基枠１６には、その左右にわたるネジ式の横送り軸１７とガイド杆（図示せず）とが並設され、かつ、横送り軸１７を回転駆動する電動モータ１８が装備され、横送り軸１７とガイド杆とにわたって、横送り軸１７の回転駆動に伴って、横送り軸１７及びガイド杆によって左右方向に横送り案内される摺動体１９が架設され、この摺動体１９には、刈取フレーム８における前後向きの主フレーム部８Ａに下方から外嵌して受け止め支持するコの字状の支持部１９Ａが形成されている。
【００２８】
又、走行機体２から基枠１６の遊端にわたって、基枠１６を第２軸心Ｘ２周りに揺動駆動する油圧シリンダ２０が架設され、基枠１６の遊端には、支持部１９Ａからの主フレーム部８Ａの離脱を阻止する押さえ杆２１が備えられている。
【００２９】
つまり、このコンバインにおいては、電動モータ１８の作動によって、走行機体２に対する刈取搬送装置３の左右方向での位置を中割り作業や回り刈り作業などの作業形態に応じた適切な位置に摺動変位させる刈取搬送装置３の摺動操作を容易に行うことができ、又、油圧シリンダ２０の作動によって、走行機体２に対する刈取搬送装置３の上下方向での位置を植立穀稈の稈長などを考慮して適切な位置に揺動変位させる刈り高さ調節や、刈取搬送装置３を作業高さ位置と非作業高さ位置とにわたって揺動変位させる刈取搬送装置３の昇降操作を容易に行えるようになっている。
【００３０】
図１〜４に示すように、刈取搬送装置３の左後部には、その穀稈搬送装置１２の挾持搬送機構１４からフィードチェーン１５に向けて、後部側がフィードチェーン１５の搬送始端側上部に接当する状態に延出して、挾持搬送機構１４からの刈取穀稈の株元側をフィードチェーン１５の搬送始端部に案内するガイド杆２２と、そのガイド杆２２の上方からフィードチェーン１５の搬送始端側を覆う枕扱きカバー２３とを備えた穀稈ガイド２４が装備されている。
【００３１】
穀稈ガイド２４の前部には、前端に左右向きで長尺の第１連結軸部２５Ａを、後端に左右向きで短尺の第２連結軸部２５Ｂを有する略コの字状に屈曲形成された連結杆２５が備えられ、その第２連結杆部２５Ｂに、ガイド杆２２及び枕扱きカバー２３を支持する支持プレート２６が、第２連結杆部２５Ｂの軸心Ｘ３周りに相対回動可能に連結されている。
【００３２】
連結杆２５の第１連結軸部２５Ａは、刈取フレーム８においてその左下部から引起装置１０の上部にわたる縦フレーム部８Ｂの上端部に左右向きに装備された円筒形のボス部２７に、第１連結軸部２５Ａの軸心Ｘ４周りに相対回動可能に、かつ、第１連結軸部２５Ａの軸心Ｘ４に沿って相対摺動可能に支持されている。
【００３３】
枕扱きカバー２３は、その前半部２３Ａと後半部２３Ｂとが蝶番２８を介して左右向きの軸心Ｘ５周りに屈曲揺動可能に連結される２分割構造で、その前半部２３Ａが連結杆２５に装備された受け具２９によって受け止め支持され、その後半部２３Ｂが支持プレート２６に連結されている。
【００３４】
つまり、穀稈ガイド２４は、刈取搬送装置３の第１軸心Ｘ１周りでの上昇揺動に連動して、その案内始端側となる連結杆２５と枕扱きカバー２３の前半部２３Ａとが、その搬送終端側となるガイド杆２２と支持プレート２６と枕扱きカバー２３の後半部２３Ｂとに対して、対応する軸心Ｘ４，Ｘ５周りに上方に向けて屈曲揺動し、かつ、刈取搬送装置３の第１軸心Ｘ１周りでの下降揺動に連動して、案内始端側が搬送終端側に対して、対応する軸心Ｘ４，Ｘ５周りに下方に向けて伸長揺動するように構成され、刈取搬送装置３を所定の作業高さ位置よりも下方に下降揺動させた場合には、枕扱きカバー２３の前半部２３Ａが支持プレート２６で受け止め支持されて、枕扱きカバー２３の前半部２３Ａと後半部２３Ｂとが前後方向に一直線状となる伸長状態を維持するようになっている。
【００３５】
一方、刈取搬送装置３のボス部２７と穀稈ガイド２４の第１連結軸部２５Ａとから、刈取搬送装置３と穀稈ガイド２４とを左右方向に相対摺動可能に、かつ、上下方向に相対揺動可能に連結する連結部３０が構成され、この連結部３０には、第１連結軸部２５Ａに装備した受け具２９と、ボス部２７を縦フレーム部８Ｂに連結するブラケット３１との間において、穀稈ガイド２４を刈取搬送装置３の左外方に向けて付勢する状態に介装されるバネ３２が外嵌装着されている。
【００３６】
又、走行機体２に装備された基枠１６に立設したブラケット３３と穀稈ガイド２４の受け具２９とにわたってインナーワイヤ３４Ａが掛け渡され、摺動体１９によって横送り案内される刈取搬送装置３における主フレーム部８Ａのブラケット３５と縦フレーム部８Ｂのブラケット３１とにわたってアウターワイヤ３４Ｂが掛け渡されることで、刈取搬送装置３の左右方向への摺動変位に伴って、アウターワイヤ３４Ｂがインナーワイヤ３４Ａに沿って刈取搬送装置３の変位方向と同方向に変位する状態となる連係ワイヤ３４が設けられている。
【００３７】
そして、この連係ワイヤ３４によって、穀稈ガイド２４が、バネ３２の付勢で刈取搬送装置３に対して左方に摺動変位して、フィードチェーン１５に対する左右方向での所定位置（ガイド杆２２がフィードチェーン１５の搬送始端側上部に接当する位置）から外れることや、刈取搬送装置３の走行機体２に対する左方への摺動変位に伴って、穀稈ガイド２４が、刈取搬送装置３とともに左方に摺動変位して、フィードチェーン１５に対する所定位置から外れることを阻止できるようになっている。
【００３８】
又、上記のバネ３２によって、刈取搬送装置３の走行機体２に対する右方への摺動変位に伴って、穀稈ガイド２４が、刈取搬送装置３とともに右方に摺動変位して、フィードチェーン１５に対する所定位置から外れることを阻止できるようになっている。
【００３９】
つまり、上記の連結部３０、バネ３２、及び連係ワイヤ３４によって、刈取搬送装置３に穀稈ガイド２４を連結装備するものでありながら、その穀稈ガイド２４に対する刈取搬送装置３の左右方向への摺動変位を許容して、穀稈ガイド２４をフィードチェーン１５に対する左右方向での所定位置に維持する維持機構３６が構成されている。
【００４０】
以上の構成から、穀稈ガイド２４は、刈取搬送装置３に装備されるものでありながら、その刈取搬送装置３の走行機体２に対する左右方向への摺動変位操作や昇降操作にかかわらず、そのガイド杆２２がフィードチェーン１５の搬送始端側上部に接当する状態に、又、その枕扱きカバー２３がガイド杆２２の上方からフィードチェーン１５の搬送始端側を覆う状態に維持されるようになっており、これによって、刈取収穫作業時には、ガイド杆２２による刈取搬送装置３の挾持搬送機構１４からフィードチェーン１５の搬送始端部への刈取穀稈の株元側の受け渡し案内が良好に行われるようになり、又、枕扱き作業時には、枕扱きカバー２３を刈取穀稈を仮置きする載置台として利用することができて、フィードチェーン１５に対する刈取穀稈の人為供給が行い易くなり、結果、作業性や収穫作業効率の向上を図れるようになっている。
【図面の簡単な説明】
【図１】コンバインの全体側面図
【図２】刈取搬送装置の操作構造を示す要部の横断平面図
【図３】穀稈ガイドの構成を示す要部の横断平面図
【図４】穀稈ガイドの構成を示す要部の縦断側面図
【符号の説明】
２      走行機体
３      刈取搬送装置
４      脱穀装置
１５    フィードチェーン
２２    ガイド杆
２３    枕扱きカバー
２４    穀稈ガイド
３０    連結部
３２    バネ
３４Ａ  インナーワイヤ
３４Ｂ  アウターワイヤ
３４    連係ワイヤ
３６    維持機構
【図１】
2004275031.tif 000003
【図２】
2004275031.tif 000004
【図３】
2004275031.tif 000005
【図４】
2004275031.tif 000006